(57)【特許請求の範囲】
【請求項１】
上部に洗面、手洗い等の水廻りカウンターが設置されるキャビネットの前面に扉が取り付けられ、扉は基材の両表面に表面材と裏面材とが取着されると共に上部の木口に木口仕舞片を取着して構成され、扉の木口仕舞片を扉の表面材よりも前方に突出させて前方突出片とし、この前方突出片に扉の全幅に亘って水切り片を設けてなることを特徴とする水廻りカウンターを備えたキャビネットの防水構造。
【請求項２】
木口仕舞片の上面が、前方になる程下方に傾斜した傾斜面よりなることを特徴とする請求項１記載の水廻りカウンターを備えたキャビネットの防水構造。
【請求項３】
水切り片が把手であることを特徴とする請求項１記載の水廻りカウンターを備えたキャビネットの防水構造。
【発明の詳細な説明】
【０００１】
【発明の属する技術分野】
本発明は、水廻りカウンターを備えたキャビネットの防水構造に関するものである。
【０００２】
【従来の技術】
従来より、洗面化粧台やトイレ用手洗い等の水廻りカウンターが上部に設置されたキャビネットの扉は、例えばパーチクルボード等の木製で、扉の木口には樹脂製の木口化粧テープが接着されている場合が多い。
【０００３】
【発明が解決しようとする課題】
上記のような洗面化粧台で水を使用するときは、水廻りカウンターの上面には、一般に、凸形状の水返し部が設けられているが、水跳ねや水垂れにより、扉の木口に水がかかる場合がある。例えば図５（ａ）に示すように、水廻りカウンター１０の上面からこぼれた水４０が、水廻りカウンター１０の前方突出部１１の下面１１ａに垂れ落ち、さらにキャビネット１の前面１ａに位置している扉２の上部の木口２ａに滴下するようになる。このとき、扉２が木製の場合は水に弱く、扉２の膨潤による不良が発生しやすくなる。また、扉２が、例えば図５（ｂ）に示すように、基材４（木材）の両表面に表面材３と裏面材５とが取着されて構成され、且つ上部の木口２ａに木口化粧テープ６ａ（木口仕舞片）が貼着されているような場合にあっても、木口化粧テープ６ａが水に濡れて剥がれ易くなったり、或いは水が図５（ｂ）の矢印イのように基材４内部に浸入して、扉２の寿命が短くなるという問題がある。
【０００４】
本発明は上記の点に鑑みてなされたものであり、その目的とするところは、水廻りカウンターからの水跳ねや水垂れによって扉の木口に水がかかるのを未然に防止でき、扉の膨潤による不良発生や木口仕舞片の剥がれ等の不良発生をなくして、扉の防水性を高めることができる水廻りカウンターを備えたキャビネットの防水構造を提供するにあり、更に他の目的とするところは、扉の木口に水がかかっても、扉の内部への浸入を防止できる水廻りカウンターを備えたキャビネットの防水構造を提供するにある。
【０００６】
【課題を解決するための手段】
上記課題を解決するために本発明にあっては、上部に洗面、手洗い等の水廻りカウンター１０が設置されるキャビネット１の前面１ａに扉２が取り付けられ、扉２は基材４の両表面に表面材３と裏面材５とが取着されると共に上部の木口２ａに木口仕舞片６を取着して構成され、水廻りカウンター１０の前端部１０ａをキャビネット１の前面１ａよりも前方Ｆに突出させて前方突出部１１とし、この前方突出片７に扉２の全幅に亘って水切り片８を設けてなることを特徴としており、このように構成することで、水廻りカウンター１０の水跳ねや水垂れによって扉２の木口２ａに水がかかった際にも、扉２の全幅に亘って設けた水切り片８によって水は扉２の表面材３よりも前方Ｆ位置で落下するようになり、水が扉２の基材４内部に浸入するのを防止できるようになる。
【０００７】
また上記木口仕舞片６の上面が、前方Ｆになる程下方に傾斜した傾斜面９よりなるのが好ましく、この場合、木口仕舞片６の上面に滴下した水が、傾斜面９を伝って表面側へ垂れ落ちて床面に落下し、水が扉２の裏面を伝ってキャビネット１内部に浸入するのを防止できるようになる。
【０００８】
また上記水切り片８が把手であるのが好ましく、この場合、扉２に把手を別途設ける必要がなくなる。
【０００９】
【発明の実施の形態】
以下、本発明を添付図面に示す実施形態に基づいて説明する。
【００１０】
前面１ａに扉２が取り付けられたキャビネット１の上部には、図１に示すように、洗面ボウル３１と、水栓金具３２と、水廻りカウンター１０とを備えた洗面化粧台３３が配設されている。
【００１１】
水廻りカウンター１０の前端部１０ａは、キャビネット１の前面１ａよりも前方Ｆに向けてフランジ状に突出した前方突出部１１となっており、この前方突出部１１の下面１１ａに水切り部１２が設けられている。本例の水切り部１２は、下方に開口した凹溝１２ａで構成されている。この凹溝１２ａは前方突出部１１の全幅に亘って設けられており、前方突出部１１の下面１１ａに廻り込んだ水をキャビネット１の前幕板３５の手前で水切りして床面に落とし、水が扉２の上部の木口２ａに浸入するのを防止する働きする。凹溝１２ａの深さは例えば３ｍｍ以上とされ、溝幅は例えば７ｍｍ以上とされるのが好ましい。
【００１２】
キャビネット１は、前方に開口した箱形状をしており、その内部には例えば洗面ボウル３１からの排水管とか、台所用品等を収納できるようになっている。本例では、キャビネット１の前面開口部の上部には、前幕板３５が設置され、前幕板３５の下方に２枚開き戸を構成する扉２が取り付けられている。扉２の側方には引出し３６が配置されている。
【００１３】
扉２は、図３（ａ）に示すように、例えば木製の基材４の両表面に表面材３と裏面材５とが取着されて構成されている。扉２の上部の木口２ａには、モールと称される木口仕舞片６が取着されている。木口仕舞片６は、扉２の厚みよりも幅広の木口化粧部６ｂと、木口仕舞片６の裏面中央部から突設され、扉２の木口２ａに凹設された係止溝６ｄに係止されるヒレ形状の被係止部６ｃとが一体形成されていると共に、木口化粧部６ｂの前端部から、扉２の表面材３よりも前方Ｆに突出した前方突出片７が突設され、前方突出片７の先端から下方に向かって水切り片８が垂下されている。この水切り片８は扉２の全幅に亘って設けられており、木口仕舞片６の上面に滴下した水を水切りして、水が扉２の木口２ａから基材４内部に浸入するのを防ぐ働きをする。図３の実施形態では木口仕舞片６の水切り片８は、下方に垂下した断面形状をしているので、手で掴んで扉２を開閉するための把手を兼用できるようなっている。
【００１４】
しかして、水廻りカウンター１０の前方突出部１１の下面１１ａに、その全幅に亘って水切り用の凹溝１２ａを形成してあるので、水廻りカウンター１０からこぼれた水４０が、図２に示すように、前方突出部１１の下面１１ａに伝って垂れ落ちる際に、凹溝１２ａで水切りされて、キャビネット１の前幕板３５の手前位置で床面に落下するようになる。これにより、垂れ落ちた水４０がキャビネット１の前面１ａに廻り込まなくなるので、従来のように扉２の表面や上部の木口２ａに水が滴下する心配がなく、扉２の膨潤による不良発生や木口仕舞片６の剥がれ等の不良発生がなくなり、扉２の防水性を高めて長寿命化を図ることができる。
【００１５】
さらに、扉２の上部の木口２ａに取着した木口仕舞片６の先端から水切り片８を垂下させてあるので、仮りに洗面ボウル３１からの跳ね水が直接、木口仕舞片６にかかった場合でも、水切り片８によって水４０は扉２の表面材３よりも前方Ｆ位置で落下するようになり、水が扉２の基材４内部に浸入するのを防ぐことができる。このように、水廻りカウンター１０側の凹溝１２ａと扉２の木口仕舞片６側の水切り片８との２段階で水切り構造としたことによって、扉２の防水性を一層高めることができるものである。なお、扉２の上部の木口２ａには、必ずしも水切り片８を有する木口仕舞片６を取着する必要はなく、水切り片８を持たない木口仕舞片とか、従来の木口化粧テープ等を取着してもよいものである。
【００１６】
また、前方突出部１１の凹溝１２ａは前方突出部１１の下面１１ａに設けられているので、外部からは目立ちにくいものとなり、水廻りカウンター１０の意匠性を損なうことなく、水切り可能となる。
【００１７】
さらに、図３（ａ）の例では木口仕舞片６に設けられる水切り片８は、把手を兼ねることができるので、扉２に把手を別途設ける必要がなく、扉２の構造の簡素化、製造の簡易化を図ることができるという利点もある。
【００１８】
なお、木口仕舞片６の水切り片８との他例として、例えば図３（ｂ）に示すように、水切り片８の前方突出片７の下面７ａにその全幅に亘って水切り用凹溝８ａを設けるようにしてもよいものである。
【００１９】
図４は木口仕舞片６の更に他の実施形態を示している。この例では、木口仕舞片６の上面が、前方Ｆになる程下方に傾斜した傾斜面９で形成されている。図中のＭは水平面を示している。これにより、木口仕舞片６の上面に滴下した水４０は、傾斜面９を伝って前方Ｆへ垂れ落ちて床面に落下するようになる。従って図４中の矢印ロで示すように、水が扉２の裏面からキャビネット１内部に浸入するのを防止できるようになる。
【００２０】
本発明は、洗面化粧台３３を備えた水廻りカウンター１０に限定されるものではなく、例えば手洗い部を備えたカウンターとか、流し台を備えたシステムキッチンに設けられるカウンターにも、広範囲に適用されるものである。
【００２２】
【発明の効果】
請求項１記載の発明は、上部に洗面、手洗い等の水廻りカウンターが設置されるキャビネットの前面に扉が取り付けられ、扉は基材の両表面に表面材と裏面材とが取着されると共に上部の木口に木口仕舞片を取着して構成され、扉の木口仕舞片を扉の表面材よりも前方に突出させて前方突出片とし、この前方突出片に扉の全幅に亘って水切り片を設けてなるので、水廻りカウンターの水跳ねや水垂れによって扉の木口に水がかかった際にも、扉の全幅に亘って設けた水切り片によって水は扉の表面材よりも前方位置で落下するようになり、水が扉の基材内部に浸入するのを防止でき、扉の防水性を高めることができる。
【００２３】
また請求項２記載の発明は、請求項１記載の効果に加えて、木口仕舞片の上面が、前方になる程下方に傾斜した傾斜面よりなるので、木口仕舞片の上面に滴下した水が、傾斜面を伝って表面側へ垂れ落ちて床面に落下するようになる。従って、水が扉の裏面を伝ってキャビネット内部に浸入するのを防止できるようになる。
【００２４】
また請求項３記載の発明は、請求項１記載の効果に加えて、水切り片が把手であるので、つまり水切り片が把手を兼ねることで、扉に把手を別途設ける必要がなくなり、扉の構造の簡素化を図ることができる。
【図面の簡単な説明】
【図１】  本発明の実施形態の一例を示し、（ａ）は洗面化粧台の斜視図、（ｂ）は概略側面図である。
【図２】  同上の凹溝による水切り状態の説明図である。
【図３】  更に他の実施形態を示し、（ａ）は同上の木口仕舞片による水切り状態の説明図、（ｂ）は他の実施形態の説明図である。
【図４】  更に他の実施形態の説明図である。
【図５】  （ａ）は従来の側面図、（ｂ）は扉の木口付近の断面図である。
【符号の説明】
１  キャビネット
１ａ  前面
２  扉
２ａ  木口
３  表面材
４  基材
５  裏面材
６  木口仕舞片
７  前方突出片
８  水切り片
９  傾斜面
１０  水廻りカウンター
１０ａ  前端部
１１  前方突出部
１２ａ  凹溝
【図１】
0004560867.tif 000002
【図２】
0004560867.tif 000003
【図３】
0004560867.tif 000004
【図４】
0004560867.tif 000005
【図５】
0004560867.tif 000006